(57)【特許請求の範囲】
【請求項１】
液晶パネルの裏面側に配置された導光板と、前記導光板の側方に配置された線状の光源と、前記導光板及び前記光源を収納する枠体と、前記光源の周囲に配置されると共に前記光源と対向する前記導光板の一辺側を挟持する固定部材を備えた液晶表示装置において、前記固定部材には前記枠体に固定するための取付片と前記導光板を支持する支持部が設けられ、前記取付片と前記支持部との間に切り欠きが形成されていることを特徴とする液晶表示装置。
【発明の詳細な説明】
【０００１】
【発明の属する技術分野】
本発明は、導光板の側面に光源を配置して、液晶パネルの裏面から光を照射するバックライトを用いた液晶表示装置に関する。
【０００２】
【従来の技術】
現在、液晶表示装置は携帯端末からパーソナルコンピュータ、大型テレビに至るまで幅広く利用されている。液晶表示装置の液晶パネルは非発光形であるため、外部からの照射光を必要とする。そこで液晶表示装置では、液晶パネルの裏面にバックライト装置を設けて、液晶パネルに照射光を供給している。こうしたバックライト装置としては、例えば特開平６−５１３０８号公報、特開平８−１７９３２１号公報に開示されている。
【０００３】
従来のバックライト装置を図に基づいて説明する。図６はバックライト装置の概略平面図、図７は図６のＡ−Ａ線に沿った方向から見たときの概略図である。
【０００４】
１００は透明アクリル樹脂などからなる導光板であり、裏面に反射シート１０３を敷いた状態で樹脂製の枠体１０２内に収納されている。平板状の導光板１００には対向する２辺の一部分に突起状の係止片１０１が設けられ、係止片１０１が枠体１０２に係合して導光板１００を固定している。
【０００５】
枠体１０２のある一辺には冷陰極管等からなる線状の光源１０４が配置されている。光源１０４の両端の電極部にはゴム製のホルダ１０５が取付けられ、光源１０４はこのホルダ１０５を介して枠体１０２及びランプハウス１０７に固定される。このとき光源１０４はランプハウス１０７と所定間隔をおいた状態で保持される。
【０００６】
ランプハウス１０７の形状及び取付状態を図８、図９に基づいて説明する。図８はランプハウス１０７を枠体１０２に取付けたときの裏面の概略図であり、図９（ａ）はランプハウス１０７を裏面から見たときの概略図、図９（ｂ）はランプハウス１０７の断面図である。ランプハウス１０７は金属製であり、プレス加工等によりコ字状に折り曲げられる。ここでランプハウスは材料の金属板から簡単に型抜きができるようにできるだけ単純な形状であり、折り曲げていない状態ではほぼ長方形の金属板にその一辺の両端に突出した取付片１０８が形成された形状である。そしてコ字状の内側に光源１０４を配置して、両端に形成された取付片１０８を枠体１０２に固定ネジ１１０で締付けて固定している。このときランプハウス１０７の支持部１０９によって、導光板１００及び反射シート１０３の光源１０４と対向する一辺側を支えている。
【０００８】
【発明が解決しようとする課題】
しかし従来のバックライト装置では、ランプハウス１０７は簡単に製造するためにほぼ長方形の金属板から取付部１０８が突出した形状なので、取付部１０８を枠体１０２にネジ止めしたときに、そのネジの締付けによる取付部１０８での圧力の増大がランプハウス１０７の他の部分にも伝わる。そのためランプハウス１０７の支持部１０９から導光板１００や反射シート１０３へ加わる圧力も増大し、反射シート１０３のタワミや反射シート１０３の遮光印刷部の導光板１００への貼り付きにより光学特性が変化する。さらに液晶表示装置外部からの負荷によってランプハウス１０７が変形し、それによって導光板１００とランプハウス１０７との接触状態が変わり光学特性が変化してしまう。こうした光学特性の変化によって表示ムラが発生し、良好な表示状態を得られない問題があった。
【０００９】
そこで本発明は、表示ムラを抑えて良好な表示が得られる液晶表示装置を提供することを目的とする。
【００１４】
【課題を解決するための手段】
上記課題を解決するため請求項１に記載の本発明は、液晶パネルの裏面側に配置された導光板と、前記導光板の側方に配置された線状の光源と、前記導光板及び前記光源を収納する枠体と、前記光源の周囲に配置されると共に前記光源と対向する前記導光板の一辺側を挟持する固定部材を備えた液晶表示装置において、前記固定部材には前記枠体に固定するための取付片と前記導光板を支持する支持部が設けられ、前記取付片と前記支持部との間に切り欠きが形成されていることを特徴とする。
【００１６】
【発明の実施の形態】
以下、本発明の実施の形態を図に基づいて説明する。図１は本発明の液晶表示装置の要部の概略断面図であり、図２は本発明のバックライト装置の概略平面図である。
【００１７】
１は例えばツイストネマティック型又はスーパーツイストネマティック型の液晶パネルで、必要に応じて能動素子を接続している。２は例えばアクリル樹脂からなる導光板で、液晶パネル１の裏面との間に拡散シート及びレンズシート４を挟んだ状態で配置される。導光板２はほぼ長方形状の平板であり、従来例の導光板のような枠体８に係合するための突起部を有していない。導光板２の裏面側には反射シート３が配置される。
【００１８】
７は固定部材である金属製のランプハウスであり、断面がほぼコ字状に折り曲げられ、その開放部分で導光板２及び反射シート３の一辺部分を挟んでいる。ランプハウス７の内部には線状の光源５が配置され、この光源５からの光を効率良く導光板２に導いている。光源５には例えば冷陰極管等が用いられ、光源５の両端の電極部は後述する固定部材であるホルダ６が取付けられている。そして、光源５はこのホルダ６を介してランプハウス７と所定間隔をおいて保持されるように取り付けられる。１０は光源５のリード線であり、両端の電極部のリード線を一方の電極部側から取り出すために、他方の電極部のリード線１０を一方の電極部へ導いている。９はランプハウス７の取付片１３を枠体８にネジ止めしている固定ネジである。そして液晶パネル１や導光板２、光源５等は枠体８内に収納され、この枠体８を裏面側から下ケース１２、表面側から上ケース１１によってカバーしている。
【００１９】
図３は図２のＢ部分の拡大概略図であり、導光板２とホルダ６との配置状態を示す図である。図３（ａ）は導光板２の表面側から見た概略図、図３（ｂ）は側面側から見た概略図である。ホルダ６は樹脂製であり、光源５の発生する熱に耐えるだけの耐熱性と、導光板２からの圧力が加わってもあまり変形しない硬度を有している。この耐熱性としては例えば熱変形温度は１５０℃以上で、また硬度は導光板２とほぼ同等又はそれ以上の硬さであり、例えばロックウェル硬さＭ６０以上である。ホルダ６はほぼ四角柱の形状で、その内部に光源５が挿入可能になっており、導光板２との接触面には導光板２側へ突出した当接部１５を形成している。この当接部１５は、ホルダ６の導光板２と対向する面の垂直方向で観察したときに挿入された光源５が位置しない部分若しくはその面のなかで光源５から最も離れている部分に形成される。そして導光板２はホルダ６に当接することで導光板２の枠体８内の移動が規制される。このとき導光板２からの圧力は図３（ｂ）の矢印で示すように当接部１５やホルダ６内に加わるので、その圧力は光源５部分にあまり伝わらず、光源５が割れないようにしている。
【００２０】
図４はバックライト装置を裏面側から見たときの概略図であり、図５はランプハウス７の概略図である。図５（ａ）はランプハウス７を裏面側から見たときの概略図、図５（ｂ）はランプハウス７の概略断面図である。
【００２１】
図５（ａ）に示すように本発明のランプハウス７は、ランプハウス７を枠体８に取付けるための取付片１３と導光板２及び反射シート３を支持する支持部１４との間に切り欠き部１６が形成され、従来例のランプハウスより取付片１３と支持部１４の接触部分を少なくして、取付片１３に加わる圧力があまり支持部１４に伝わらないようにしている。取付片１３には固定ネジ９が挿入される取付孔１７が形成され、図４に示すように枠体８にネジ止めしている。この取付片１３が固定される枠体８の部分は樹脂が厚くなっており、固定ネジ９が確実に取付けられるようになっている。こうして枠体８に取付けられたランプハウス７は取付片１３から支持部１４に過剰な圧力が加わらないので、適切な力で反射シート３及び導光板２を支持できる。
【００２２】
このように本発明はホルダ５によって導光板２の光源５側への動き規制しているので、導光板２に突起状の係止部を設ける必要がなく、導光板２の異常発光を防止できる。さらに導光板２に係止部を設けない分だけ導光板２を大きくすることができる。特にこの実施例ではランプハウス７を枠体８にネジ止めしたが、ランプハウス７を枠体８に嵌め込んで固定する形態にすれば枠体８のネジ止め用の領域を省くことができ、さらに導光板２を大きくすることができる。
【００２３】
またランプハウス７を枠体８に確実に固定してもランプハウス７から導光板２及び反射シート３には適切な圧力が加わるので、導光板２や反射シート３の配置状態を変えることがなく、光学特性の変化を起こさせない。
【００２４】
なおこの実施例ではランプハウス７を枠体８に２箇所でネジ止めしたが、ランプハウス７が枠体８に確実に固定できれば片方の取付片１３のみネジ止めしてもよい。また実施例では光源が１つであったが、枠体の他の一辺に光源を追加してもよい。
【００２７】
【発明の効果】
本発明によれば、光源が取付けられた固定部材であるランプハウスは、枠体に固定する取付片に加わる圧力が導光板等の一部分を支持する支持部に伝わり難い形状にしているので、ランプハウスを枠体に確実に固定しても導光板の光学特性が変わるような配置状態の変化を防ぐことができ、表示ムラを少なくすることができる。
【図面の簡単な説明】
【図１】本発明の一実施例である液晶表示装置の要部の断面の概略図である。
【図２】本発明の一実施例であるバックライト装置の概略平面図である。
【図３】本発明の導光板とホルダの接触状態を示した概略図である。
【図４】本発明のバックライト装置を裏面側から見たときの概略図である。
【図５】本発明のランプハウスの外観を示す概略図である。
【図６】従来のバックライト装置の概略平面図である
【図７】図６のＡ−Ａ線に沿った方向から見たときの概略図である
【図８】従来のバックライト装置を裏面側から見たときの概略図である。
【図９】従来のランプハウスの外観を示す概略図である。
【符号の説明】
２    導光板
３    反射シート
５    光源
６    ホルダ
７    ランプハウス
８    枠体
１３  取付片
１４  支持部
１５  当接部
【図１】
0003696040.tif 000002
【図２】
0003696040.tif 000003
【図３】
0003696040.tif 000004
【図４】
0003696040.tif 000005
【図５】
0003696040.tif 000006
【図６】
0003696040.tif 000007
【図７】
0003696040.tif 000008
【図８】
0003696040.tif 000009
【図９】
0003696040.tif 000010